【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
テープ状の磁気記録媒体であって、
基体と、
前記基体上に設けられた下地層と、
前記下地層上に設けられた磁性層と
を備え、
前記磁気記録媒体の平均厚みが、５．６μｍ以下であり、
前記磁性層は前記磁気記録媒体の長手方向に沿ってのびる複数のサーボバンドを有しており、
前記磁性層は磁性粉と第一の結着剤を含み、
前記基体はポリエステルを含み、
前記下地層は非磁性粉と第二の結着剤を含み、
前記磁気記録媒体の長手方向におけるヤング率が、８．０ＧＰａ未満であり、
前記磁気記録媒体を１／２インチ幅に切り出し、温度、相対湿度が（１０℃、１０％）、（１０℃、８０％）、（２９℃、８０％）、（４５℃、１０％）である４つの環境下のそれぞれで０．２Ｎの荷重をかけた状態で２時間保持した後に測定された前記磁気記録媒体の幅の平均値のうちの最大値、最小値をそれぞれｗmax、ｗminとした場合、ｗmaxおよびｗminが以下の関係式（１）を満たし、
前記磁気記録媒体の平均厚みＴＡおよび前記基体の平均厚みＴＢが以下の関係式（２）を満たす磁気記録媒体。
（ｗmax−ｗmin）／ｗmin≦４００［ｐｐｍ］  ・・・（１）
４．０≦ＴＢ／（ＴＡ−ＴＢ）  ・・・（２）
【請求項２】
前記磁気記録媒体の垂直方向における角形比が、６５％以上である請求項１に記載の磁気記録媒体。
【請求項３】
前記磁気記録媒体の平均厚みＴＡおよび前記基体の平均厚みＴＢが以下の関係式（３）を満たす請求項１または２に記載の磁気記録媒体。
４．０≦ＴＢ／（ＴＡ−ＴＢ）≦８．３  ・・・（３）
【請求項４】
前記磁気記録媒体の平均厚みＴＡおよび前記基体の平均厚みＴＢが以下の関係式（４）を満たす請求項１から３のいずれか１項に記載の磁気記録媒体。
０．５５［μｍ］≦ＴＡ−ＴＢ≦１．１［μｍ］  ・・・（４）
【請求項５】
前記磁性層が、複数のデータトラックを形成可能に構成され、
前記データトラックの幅が、１５００ｎｍ以下である請求項１から４のいずれか１項に記載の磁気記録媒体。
【請求項６】
１５００ｎｍ以下のデータトラック幅でデータを記録可能に構成された記録再生装置に用いられる請求項１から５のいずれか１項に記載の磁気記録媒体。
【請求項７】
前記磁気記録媒体の長手方向における前記基体のヤング率が、７．５ＧＰａ未満である請求項１から６のいずれか１項に記載の磁気記録媒体。
【請求項８】
前記磁気記録媒体の長手方向における角形比が、３５％以下である請求項１から７のいずれか１項に記載の磁気記録媒体。
【請求項９】
前記磁性層が、磁化反転間距離の最小値Ｌとデータトラックの幅Ｗの比率Ｗ／ＬがＷ／Ｌ≦３５の関係を満たすように、データを記録可能に構成されている請求項１から８のいずれか１項に記載の磁気記録媒体。
【請求項１０】
前記磁性層が、磁化反転間距離の最小値Ｌとデータトラックの幅Ｗの比率Ｗ／ＬがＷ／Ｌ≦３０の関係を満たすように、データを記録可能に構成されている請求項１から８のいずれか１項に記載の磁気記録媒体。
【請求項１１】
前記磁性層が、磁化反転間距離の最小値Ｌが４８ｎｍ以下となるように、データを記録可能に構成されている請求項１から１０のいずれか１項に記載の磁気記録媒体。
【請求項１２】
前記磁性層の表面の面積に対する前記サーボバンドの総面積の割合が、４．０％以下である請求項１から１１のいずれか１項に記載の磁気記録媒体。
【請求項１３】
前記サーボバンドの数が、５以上である請求項１から１２のいずれか１項に記載の磁気記録媒体。
【請求項１４】
前記サーボバンドの数が、５＋４ｎ（但し、ｎは正の整数である。）である請求項１から１２のいずれか１項に記載の磁気記録媒体。
【請求項１５】
前記サーボバンドの幅が、９５μｍ以下である請求項１から１４のいずれか１項に記載の磁気記録媒体。
【請求項１６】
前記磁気記録媒体の平均厚みが、５．２４μｍ以下である請求項１から１５のいずれか１項に記載の磁気記録媒体。
【請求項１７】
前記基体の平均厚みが、４．２μｍ以下である請求項１から１６のいずれか１項に記載の磁気記録媒体。
【請求項１８】
前記磁性層の平均厚みが、９０ｎｍ以下である請求項１から１７のいずれか１項に記載の磁気記録媒体。
【請求項１９】
前記磁気記録媒体の長手方向のテンション変化に対する幅方向の寸法変化量Δｗが、６５０［ｐｐｍ／Ｎ］≦Δｗである請求項１から１８のいずれか１項に記載の磁気記録媒体。
【請求項２０】
温度膨張係数αが、６［ｐｐｍ／℃］≦α≦８［ｐｐｍ／℃］であり、且つ、湿度膨張係数βが、β≦５［ｐｐｍ／％ＲＨ］である請求項１から１９のいずれか１項に記載の磁気記録媒体。
【請求項２１】
ポアソン比ρが、０．３≦ρである請求項１から２０のいずれか１項に記載の磁気記録媒体。
【請求項２２】
前記磁気記録媒体の長手方向の弾性限界値σＭＤが、０．８［Ｎ］≦σＭＤである請求項１から２１のいずれか１項に記載の磁気記録媒体。
【請求項２３】
前記磁性粉は、六方晶フェライト、ε酸化鉄またはＣｏ含有スピネルフェライトを含む請求項１から２２のいずれか１項に記載の磁気記録媒体。
【請求項２４】
前記磁性粉の平均アスペクト比が、１．０以上３．０以下である請求項１から２３のいずれか１項に記載の磁気記録媒体。
【請求項２５】
前記六方晶フェライトが、ＢａおよびＳｒのうちの少なくとも１種を含み、
前記ε酸化鉄が、ＡｌおよびＧａのうちの少なくとも１種を含む請求項２３に記載の磁気記録媒体。
【請求項２６】
前記磁性粉は、六方晶フェライトを含み、
前記磁性粉の平均粒子体積が、１０００ｎｍ３以上１８００ｎｍ３以下である請求項１から２２のいずれか１項に記載の磁気記録媒体。
【請求項２７】
請求項１から２６のいずれか１項に記載された前記磁気記録媒体と、
前記磁気記録媒体の長手方向にかかるテンションを調整するための調整情報を書き込む領域を有する記憶部と
を備えるカートリッジ。
【請求項２８】
記録再生装置と通信を行う通信部と、
前記通信部を介して前記記録再生装置から受信した前記調整情報を前記領域に記憶し、かつ、前記記録再生装置の要求に応じて、前記領域から前記調整情報を読み出し、前記通信部を介して前記記録再生装置に送信する制御部と
をさらに備える請求項２７に記載のカートリッジ。
【手続補正２】
【補正対象書類名】明細書
【補正対象項目名】０００７
【補正方法】変更
【補正の内容】
【０００７】
上述の課題を解決するために、第１の開示は、
テープ状の磁気記録媒体であって、
基体と、
基体上に設けられた下地層と、
下地層上に設けられた磁性層と
を備え、
磁気記録媒体の平均厚みが、５．６μｍ以下であり、
磁性層は磁気記録媒体の長手方向に沿ってのびる複数のサーボバンドを有しており、
磁性層は磁性粉と第一の結着剤を有し、
基体はポリエステルを含み、
下地層は非磁性粉と第二の結着剤を有し、
磁気記録媒体の長手方向におけるヤング率が、８．０ＧＰａ未満であり、
磁気記録媒体を１／２インチ幅に切り出し、温度、相対湿度が（１０℃、１０％）、（１０℃、８０％）、（２９℃、８０％）、（４５℃、１０％）である４つの環境下のそれぞれで０．２Ｎの荷重をかけた状態で２時間保持した後に測定された磁気記録媒体の幅の平均値のうちの最大値、最小値をそれぞれｗmax、ｗminとした場合、ｗmaxおよびｗminが以下の関係式（１）を満たし、
磁気記録媒体の平均厚みＴＡおよび基体の平均厚みＴＢが以下の関係式（２）を満たす磁気記録媒体である。
（ｗmax−ｗmin）／ｗmin≦４００［ｐｐｍ］  ・・・（１）
４．０≦ＴＢ／（ＴＡ−ＴＢ）  ・・・（２）